(57)【要約】２つの接触面間で容易に調整と解除が可能な、改良された摩擦係合を得るための方法。本方法によると、両接触面は材料層（２，４）を備え、接触面間の接触圧力が低いときは、接触面は相互に比較的容易に移動し得ることが保証され、接触面間の接触圧力が高くなると、これらの材料層は相互に係合して接触面間の相対移動が不可能あるいは困難になる。これは短ファイバ（５）の層、特に合成ファイバ、でフロック加工された両接触面によって達成される。本発明は又、２つの接触面間で改良された摩擦係合を得るための構成、及びそのような接触面を備えた物体に関する。
2004500926.tif 000002
【特許請求の範囲】
【請求項１】
両接触面がそれぞれ接触面から突出した短ファイバの層を備え、該接触面間の接触圧力が低いときは、該接触面は相互に容易に相対移動し得ることが保証され、該接触面間の接触圧力が高くなると、該ファイバ層が相互に係合して該接触面間の相対移動が不可能あるいは困難になることを特徴とする、２つの接触面間に容易に調整及び解除解除可能な改良された摩擦係合を得るための方法。
【請求項２】
前記両接触面が短ファイバの層でフロック加工される請求項１に記載の方法。
【請求項３】
前記両接触面が０． ３乃至１． ０ｍｍの長さ、好ましくは０． ５乃至０． ７ｍｍの長さを有する合成ファイバでフロック加工される請求項２に記載の方法。
【請求項４】
前記両接触面が４．０，６．７，１１．０，或いは２２． ０デシテックス（ｄＴＥＸ）の、好ましくは６．７デシテックスの長さあたり重量を有する合成ファイバでフロック加工される請求項２または３に記載の方法。
【請求項５】
例えばスポーツ機材や用具等において、一方のファイバ層が、ユーザの手にはめられるグローブ等のグリップ面の少なくとも一部に付けられ、他方のファイバ層はグリップされる物体のグリップ域の少なくとも一部に付けられることを特徴とする、携帯物のグリップを改良するための請求項１乃至４のいずれかに記載の方法。
【請求項６】
同一の型のファイバ層がグローブとグリップされる物体とにフロック加工されることを特徴とする請求項５に記載の方法。
【請求項７】
ファイバ層がグローブ等に直接フロック加工されることを特徴とする請求項５または６に記載の方法。
【請求項８】
フロック加工されたファイバ層を有する薄い支持体がグローブに付けられる或いは手に直接巻かれることを特徴とする請求項５または６に記載の方法。
【請求項９】
両接触面上に配置され、それぞれの接触面から突出した短ファイバ（５）の層（２，４）を備え、該接触面間の接触圧力が低いときは、該接触面は相互に比較的容易に移動し得ることが保証され、該接触面間の接触圧力が高くなると、これらのファイバ層（２，４）は相互に係合して該接触面間の相対移動が不可能あるいは困難であるべく設計されたことを特徴とする、２つの接触面間が容易に調整、解除可能な改良された摩擦係合を得るための構成。
【請求項１０】
ファイバ層（２，４）がフロック加工された短ファイバ（５）の層からなることを特徴とする請求項９に記載の構成。
【請求項１１】
前記フロック加工された層が０． ３乃至１． ０ｍｍの長さ、好ましくは０． ５乃至０． ７ｍｍの長さを有する合成ファイバ（５）からなる請求項１０に記載の方法。
【請求項１２】
前記フロック加工された層が４．０，６．７，１１．０，或いは２２． ０デシテックス（ｄＴＥＸ）、好ましくは６．７デシテックスの長さあたり重量を有する合成ファイバからなる、フロック加工された層であることを特徴とする請求項１０または１１に記載の方法。
【請求項１３】
例えばスポーツ機材や用具等において、一方のファイバ層（２）が、ユーザの手にはめられるグローブ（１）等のグリップ面の少なくとも一部に付けられ、他方のファイバ層（４）はグリップされる物体のグリップ範囲（３）の少なくとも一部に付けられることを特徴とする、携帯物の係合を改良するための請求項９乃至１２のいずれかに記載の構成。
【請求項１４】
グローブ（１）等の上にファイバ層（２）が直接フロック加工されたことを特徴とする請求項１３に記載の構成。
【請求項１５】
フロック加工されたファイバ層を有する薄い支持体がグローブ（１）等に付けられることを特徴とする請求項１３に記載の構成。
【請求項１６】
フロック加工されたファイバ層（４）を備える物体（３）をグリップするときのグリップを改良するためにグリップ面の少なくとも一部にフロック加工されたファイバ層（２）を備えることを特徴とするグローブ。
【請求項１７】
フロック加工されたファイバ層を備え、フロック加工されたファイバ層（４）を備える物体（３）をグリップするときのグリップを改良するためにグローブ（１）上に固定され、或いは手に巻かれるべく設計されたことを特徴とする、布や帯の形状の可撓性支持体。
【請求項１８】
グリップ面の少なくとも一部にフロック加工されたファイバ層（２）を備えるグローブ（１）で物体をグリップするときのグリップを改良するために、グリップ域（３）の少なくとも一部にフロック加工されたファイバ層（４）を備えた、例えばゴルフクラブのための携帯物。
【発明の詳細な説明】
【０００１】
発明の分野
本発明は、２つの接触面間で容易に調整可能な、改良された摩擦係合を得るための方法に関する。本発明は特に、例えば、スポーツ機材、用具等の携帯物のグリップの改良に関する。
【０００２】
本発明は又、２つの接触面間の容易に適合可能な改良された摩擦係合を得るための構成、及びそのような接触面で設計された製品に関する。
発明の背景
２つの接触面を相互に調整させた後に、ある選択された位置で相互に滑り得ないように両接触面を一時的に固定することが望まれる状況は多い。位置を調整させる、或いは両接触面間で新しい相対位置をとるためには、２つの表面は容易に再解除されなければならない。
【０００３】
上記の機能が求められる例は無数にある。一例はゴルフクラブである。その場合プレーヤはショットをする前に、望ましい正確な位置でクラブシャフトと自身のグリップとを調整し得ることを望む。その位置が決まると、その選択された位置で両手をクラブシャフトに固定する。この問題を解決するために、米国特許出願第３，６４９，９６７号の例を参照すると、摩擦グローブと一体になって最善のグリップを得るために、クラブの握りのための多様な材料の使用が提案されている。しかしながら、シャフトと手との間で回転してしまう危険を伴わない、完全に満足な材料の組合せは未だ開発されていない。多湿状況や雨天においてはクラブとグローブとの間の摩擦が減少するので、問題は一層大きくなる。
【０００４】
類似の問題は、例えば、多様なラケット、ホッケーやバンディのクラブ、野球のバット、自転車やモータバイクのハンドル、車のステアリングホイール、乗馬スポーツの手綱等の、スポーツ機材をしっかりと握り得なければならないゴルフ以外のスポーツにおいても見出される。この問題は雨天や手に汗をかく非常に暑い状況では最悪になる。
【０００５】
同様な要求は、例えば、ハンマーやスクリュードライバのシャフト等を握る等の、他の分野にも存在する。
発明の目的
本発明の主目的は、２つの接触面間で容易に調整と解除が可能な、改良された摩擦係合を得る、利用可能な手法を作ることである。
【０００６】
本発明の基本は、そのようなグリップは、両接触面の接触圧力が低いときには相互に移動可能で、接触圧力が高くなると相互の移動は殆ど不可能になるように設計されるべきであるという認識である。
【０００７】
この目的を達成するために、本発明に基く方法は、両接触面は各表面から突出する短いファイバの層で形成され、接触面間の接触圧力が低いときは、比較的に容易に相互移動し得ることを保証するが、接触圧力が高くなると相互に係合して接触面間の相対移動を不可能或いは困難にすることを特徴とする。
【０００８】
この方法によると、例えば携帯品の場合は、携帯品を緩く握って携帯品と手との相対位置関係を調整し、正しい位置に達すると、携帯品をより強く握ることによって摩擦固定を可能にする。これは特に、ゴルフクラブの例で示されたような上記した携帯のスポーツ機材や用具の場合は完全に自然に行われる。ゴルファーがショットをしようとする場合は、ごく自然にクラブシャフトを堅くグリップし、クラブシャフトは予め慎重に調整された手との位置関係で自動的に固定される。従って、摩擦係合の起動には特別な操作や測定は要求されず、例えばクラブ、ラケット、ハンマー等の機材や用具をユーザが使用するときは、自然に行われる。
【０００９】
２つの上記の摩擦層を得るためには、互いの接触面を短いファイバの層でフロック加工することが望ましい。ファイバは短くて堅い合成ファイバからなり、ポリアミドが好ましい。他の有用な材料はレーヨン、ポリエステル、アクリル等である。長さは０． ３〜１． ０ｍｍで、好ましくは０．５〜０．７ｍｍであり、長さ当たりの重量は４． ０，６． ７，１１．０，あるいは２２． ０デシテックス（ｄｔｅｘ）で、これまでに行った試験によると、６． ７デシテックスが好ましい。
【００１０】
フロック加工は一般に、フロック加工されるべき面を接着剤で被覆し、次にフロック加工用ファイバを静電場を使用して接着剤被覆された表面の方向に配向促進して行われる。この手法は既に周知なので、ここでは詳述しない。しかしながら他のフロック加工法も使用され得る。
【００１１】
本発明がスポーツ機材や用具等の携帯物のグリップを改良するために応用されるばあい、一方のファイバ層はグローブやユーザの手にはめられるもののグリップ面の少なくとも一部に応用され、他方のファイバ層はグリップされる物体のグリップ部分の少なくとも一部に応用される。上記の機能に関するこの結果は、物体のグリップ部分への手のグリップ力が低い間は、グローブをした手はグリップ域を相対的に移動し得るが、物体のグリップ部分へのグリップ力が増大すると、物体と手との間の選択された相対位置は固定される。
【００１２】
グローブ及びグリップされる物体にフロック加工されるファイバ層は同一の型であることが望ましい。ファイバ層はグローブ等に直接フロック加工されるか、或いはグローブに付けられるか或いは手に直接巻かれる薄い支持体上にフロック加工される。
【００１３】
上記の手法により、携帯物との非常に強固な摩擦係合が得られ、なかんずく、物体がグリップされる力を使用して摩擦係合が制御され得る。
本発明に基いて製造される製品は、フロック加工されたファイバ層を備えたグローブ等の型式、或いは、フロック加工されたファイバ層を備えた薄い支持体をグローブに付ける型式である。
【００１４】
本発明は添付の図面を参照して下記に詳述する。
好ましい実施例の説明
図１の参照番号１はゴルフのグローブを示し、グリップ面、即ち掌と指の部分の内側は摩擦層２を備える。これら摩擦層の位置や構成は必要性によって変わる。或いは、グローブのグリップ面全体がこのような摩擦層で覆われる。参照番号３はゴルフクラブのシャフトを示し、その上部のグリップ部は摩擦層４でコートされている。その実施例においては摩擦層４は連続である。しかしこれは例えば摩擦層が帯状でもよい。
【００１５】
図２，３に示すように、摩擦層はグローブ１やクラブシャフト３に直接フロック加工された、短ファイバ５からなる。或いは摩擦層は、布や帯等の薄いフレキシブルな支持体上にフロック加工され、それをグローブに付けるか、或いはクラブシャフトに巻きつける。そのような帯は自己接着すべく設計されていることが好ましい。
【００１６】
ファイバのフロック加工のために、フロック加工されるべき表面を先ず接着剤コートし、その後、短ファイバは静電場中で接着剤コートした面に配向促進される。その結果は、非常に多くの短ファイバが相互に密に近接した、接着層から突き出たファイバ層になる。０． ５乃至０． ７ｍｍの長さで、６． ７或いは１１． ０デシテックスの長さ当たり重量を有するポリアミドファイバによる試験では非常に良い効果が得られた。
【００１７】
図３を参照して、ファイバ層間の接触圧力が低いときは比較的容易に相互移動し易い。しかしながら図４を参照して、接触圧力が高くなると、ファイバ層は相互に係合して両ファイバ間の相対移動は殆ど不可能になる。
【００１８】
図１に基いた摩擦層を備えるゴルフグローブとゴルフクラブを使用したとき、プレーヤは先ずクラブシャフトにグリップを調整させる。その後、ショットする時はシャフトを強く握る。それによりシャフトと手との選択された位置関係が強く、正確に固定され、手との更なる相対移動の可能性は無くなる。
【００１９】
更にグローブにおいて本発明に基づく製品は、手に固定されて、かつフロック加工されたファイバ層を保持する構成の他の形状でも可能である。ファイバ層は帯や同帯に相当する物にフロック加工されてもよく、それは自己接着性を有することが好ましい。また、グローブの有無に拘らず手に巻かれてもよい。
【００２０】
上記のように、グローブやそれの相当物等を使用してグリップされるスポーツ機材や用具等は図２のような相応するフロック加工グリップ部で設計される。フロック加工は物体上に直接、或いはグリップされるべき物体に巻かれる或いは貼り付けられる布や帯上に配置される。例えばゴルフクラブの場合、正常のグリップ範囲の全体あるいは一部分にフロックコート層がなされる。
【００２１】
本発明は携帯装置に関連するが、摩擦を増大させるための手法は、例えば自動制御グリッパ等によってグリップされる物体のような、他の事象にも使用され得る。
【図面の簡単な説明】
【図１】本発明に基く摩擦層を備えたゴルフグローブとゴルフクラブとの間のグリップを示す斜視図。
【図２】本発明に基く摩擦層を備えたゴルフクラブの上部グリップ域を示す一部破断正面図。
【図３】図１によるクラブシャフトとグローブの一部分とのグリップ調整中の断面図。
【図４】強く押し付けたときに、図３の摩擦層が互いに固定される方法を示す断面図。
【国際公開パンフレット】
2004500926.tif 000003
2004500926.tif 000004
2004500926.tif 000005
2004500926.tif 000006
2004500926.tif 000007
2004500926.tif 000008
2004500926.tif 000009
2004500926.tif 000010
2004500926.tif 000011
2004500926.tif 000012
2004500926.tif 000013
2004500926.tif 000014
2004500926.tif 000015
2004500926.tif 000016
2004500926.tif 000017
2004500926.tif 000018
【手続補正書】
【提出日】平成13年12月21日(2001.12.21)
【手続補正１】
【補正対象書類名】明細書
【補正対象項目名】特許請求の範囲
【補正方法】変更
【補正の内容】
【特許請求の範囲】
【請求項１】
両接触面がそれぞれ接触面から突出した、同種類の、短い、殆ど直線状のファイバの層を備え、従って該接触面間の接触圧力が低いときは、該接触面は相互に容易に相対移動可能であり、該接触面間の接触圧力が高くなると、該接触面のファイバ層が相互に係合して接触面間の相対移動が不可能あるいは困難になることを特徴とする、２つの接触面間に容易に調整、解除可能な改良された摩擦係合を得るための方法。
【請求項２】
前記両接触面が短ファイバの層でフロック加工される請求項１に記載の方法。
【請求項３】
前記両接触面が０．３乃至１．０ｍｍの長さ、好ましくは０．５乃至０．７ｍｍの長さを有する合成ファイバでフロック加工される請求項２に記載の方法。
【請求項４】
前記両接触面が４．０，６．７，１１．０，或いは２２．０デシテックス（ｄＴＥＸ）の、好ましくは６．７デシテックスの長さあたり重量を有する合成ファイバでフロック加工される請求項２または３に記載の方法。
【請求項５】
例えばスポーツ機材や用具等において、一方のファイバ層が、ユーザの手にはめられるグローブ等のグリップ面の少なくとも一部に付けられ、他方のファイバ層はグリップされる物体のグリップ域の少なくとも一部に付けられることを特徴とする、携帯物のグリップを改良するための請求項１乃至４のいずれかに記載の方法。
【請求項６】
同一の型のファイバ層がグローブとグリップされる物体とにフロック加工されることを特徴とする請求項５に記載の方法。
【請求項７】
ファイバ層がグローブ等に直接フロック加工されることを特徴とする請求項５または６に記載の方法。
【請求項８】
フロック加工されたファイバ層を有する薄い支持体がグローブに付けられる或いは手に直接巻かれることを特徴とする請求項５または６に記載の方法。
【請求項９】
両接触面上に配置され、それぞれの接触面から突出した、同種類の、短い、殆ど直線状のファイバ（５）の層（２，４）を備え、該接触面間の接触圧力が低いときは、該接触面は相互に比較的容易に移動可能であり、該接触面間の接触圧力が高くなると、該接触面上のファイバ層（２，４）は相互に係合して該接触面間の相対移動が不可能あるいは困難であるべく設計されたことを特徴とする、２つの接触面間が容易に調整、解除可能な改良された摩擦係合を得るための構成。
【請求項１０】
ファイバ層（２，４）がフロック加工された短ファイバ（５）の層からなることを特徴とする請求項９に記載の構成。
【請求項１１】
前記フロック加工された層が０．３乃至１．０ｍｍの長さ、好ましくは０．５乃至０．７ｍｍの長さを有する合成ファイバ（５）からなる請求項１０に記載の方法。
【請求項１２】
前記フロック加工された層が４．０，６．７，１１．０，或いは２２．０デシテックス（ｄＴＥＸ）、好ましくは６．７デシテックスの長さあたり重量を有する合成ファイバからなる、フロック加工された層であることを特徴とする請求項１０または１１に記載の方法。
【請求項１３】
例えばスポーツ機材や用具等において、一方のファイバ層（２）が、ユーザの手にはめられるグローブ（１）等のグリップ面の少なくとも一部に付けられ、他方のファイバ層（４）はグリップされる物体のグリップ範囲（３）の少なくとも一部に付けられることを特徴とする、携帯物の係合を改良するための請求項９乃至１２のいずれかに記載の構成。
【請求項１４】
グローブ（１）等の上にファイバ層（２）が直接フロック加工されたことを特徴とする請求項１３に記載の構成。
【請求項１５】
フロック加工されたファイバ層を有する薄い支持体がグローブ（１）等に付けられることを特徴とする請求項１３に記載の構成。
【請求項１６】
同種類のフロック加工されたファイバ層（４）を備える物体（３）をグリップするときのグリップを改良するためにグリップ面の少なくとも一部に短い、殆ど直線状のファイバのフロック加工された層（２）を備えることを特徴とするグローブ。
【請求項１７】
短い、殆ど直線状のファイバのフロック加工された層を備え、同種類のフロック加工されたファイバ層（４）を備える物体（３）をグリップするときのグリップを改良するためにグローブ（１）上に固定され、或いは手に巻かれるべく設計されたことを特徴とする、布や帯の形状の可撓性支持体。
【請求項１８】
グリップ面の少なくとも一部に同種類のフロック加工されたファイバ層（２）を備えるグローブ（１）で物体をグリップするときのグリップを改良するために、グリップ域（３）の少なくとも一部に、短い、殆ど直線状のファイバのフロック加工された層（４）を備えた、例えばゴルフクラブのための携帯物。
【国際調査報告】
2004500926.tif 000019
2004500926.tif 000020